(57)【要約】【課題】  キャリブレーション中断時と再開時の環境変化があった場合でも、高精度なキャリブレーション及び処理時間の短縮を実現することを目的とする。【解決手段】  外光センサ２０９は、ディスプレイ１０１の周囲の外光を検出し、外光値を外光センサ制御部２０２へ送信する。外光センサ制御部２０２は、取得した外光値をＣＡＬ再開ポイント決定部２０３へ送信する。ＣＡＬ再開ポイント決定部２０３は、基準外光値と、外光センサ制御部２０２から取得した外光値とに基づき、ＣＡＬ再開ポイントを決定する。ＣＡＬ部２０４は、ＣＡＬ再開ポイント決定部２０３からＣＡＬ再開ポイントを取得すると、記憶部２０７から前回のキャリブレーションの調整データを取得し、再開ポイントに応じて今回のキャリブレーションで流用できる調整データを確認し、ディスプレイ１０１の画像処理機能に反映する。【選択図】  図２
2015115668.tif 000002
【特許請求の範囲】
【請求項１】
設定された目標値を用いて、表示装置の複数の画像処理のキャリブレーションを行うキャリブレーション手段と、
キャリブレーションが中断された後のキャリブレーションの再開ポイントを決定する決定手段と、
表示装置の周囲の外光を検出する検出手段と、を備え、
決定手段は、検出手段により検出された外光値に基づき、キャリブレーションの再開ポイントを決定することを特徴とするキャリブレーション装置。
【請求項２】
決定手段は、基準外光値と、検出手段により検出された外光値とに基づき、設定された目標値を補正した新たな目標値を算出し、
キャリブレーション手段は、新たな目標値を用いて、キャリブレーションを再開することを特徴とする請求項１に記載のキャリブレーション装置。
【請求項３】
決定手段は、設定された目標値と、新たな目標値とに基づき、キャリブレーションの再開ポイントを決定することを特徴とする請求項２に記載のキャリブレーション装置。
【請求項４】
決定手段は、キャリブレーションを再開する測色のパッチ画像を決定することを特徴とする請求項１から請求項３までのいずれか１項に記載のキャリブレーション装置。
【請求項５】
設定された目標値を用いて、表示装置の複数の画像処理のキャリブレーションを行うキャリブレーション手段と、
キャリブレーションが中断された後のキャリブレーションの再開ポイントを決定する決定手段と、
表示装置の劣化度合いを検出する検出手段と、を備え、
決定手段は、検出手段により検出された劣化度合い値に基づき、キャリブレーションの再開ポイントを決定することを特徴とするキャリブレーション装置。
【請求項６】
設定された目標値を用いて、表示装置の複数の画像処理のキャリブレーションを行うキャリブレーションステップと、
キャリブレーションが中断された後のキャリブレーションの再開ポイントを決定する決定ステップと、
表示装置の周囲の外光を検出する検出ステップと、を備え、
決定ステップは、検出ステップにより検出された外光値とに基づき、キャリブレーションの再開ポイントを決定することを特徴とするキャリブレーション方法。
【請求項７】
決定ステップは、基準外光値と、検出ステップにより検出された外光値とに基づき、設定された目標値を補正した新たな目標値を算出し、
キャリブレーションステップは、新たな目標値を用いて、キャリブレーションを再開することを特徴とする請求項６に記載のキャリブレーション方法。
【請求項８】
決定ステップは、設定された目標値と、新たな目標値とに基づき、キャリブレーションの再開ポイントを決定することを特徴とする請求項７に記載のキャリブレーション方法。
【請求項９】
決定ステップは、キャリブレーションを再開する測色のパッチ画像を決定することを特徴とする請求項６から請求項８までのいずれか１項に記載のキャリブレーション方法。
【請求項１０】
設定された目標値を用いて、表示装置の複数の画像処理のキャリブレーションを行うキャリブレーションステップと、
キャリブレーションが中断された後のキャリブレーションの再開ポイントを決定する決定ステップと、
表示装置の劣化度合いを検出する検出ステップと、を備え、
決定ステップは、検出ステップにより検出された劣化度合い値に基づき、キャリブレーションの再開ポイントを決定することを特徴とするキャリブレーション方法。
【請求項１１】
請求項６から請求項１０までのいずれか１項に記載のキャリブレーション方法の各ステップをコンピュータに実行させるためのプログラム。
【発明の詳細な説明】
【技術分野】
【０００１】
本発明は、キャリブレーションを行うキャリブレーション装置、キャリブレーション方法、及びプログラムに関する。
【背景技術】
【０００２】
近年、業務用に用いるディスプレイにおいて、高度な色再現性や均一性が求められている。ディスプレイは、経年劣化による画質の変化を無くし一定の画質を保つために、キャリブレーションを行う。キャリブレーションは、輝度やガンマ、色温度、色域などの様々な画像処理機能を補正し、一つの画像処理機能の補正が完了した後、その補正を踏まえて次の画像処理機能の補正を行う。
【０００３】
ここで、画像処理とキャリブレーションの一般的な処理フローについて説明する。画像処理は、複数の画像処理ブロックで行う。明るさに関する画像処理は輝度・γブロック、色味に関する画像処理は色温度ブロック、色の再現性に関する画像処理は色域ブロックが処理する。映像信号の画像処理は、「輝度・γ」→「色温度」→「色域」の順序で行う。それぞれの画像処理ブロックは調整データを持ち、キャリブレーション時にこの調整データを修正することで目的の画質となるように画像処理を行うことが可能となる。
【０００４】
キャリブレーションは、上記の３つの画像処理ブロックを調整する。一つの画像処理ブロックの調整が完了した後、その調整を画像に反映させて次の画像処理ブロックの調整を行う。キャリブレーションは、複数の画像処理ブロックのうち後段（出力信号に近い方）から順に実施する。よって、キャリブレーションは、「色域」→「色温度」→「輝度・γ」の順序で行う。
【０００５】
キャリブレーションは、モニタ上に白や赤、青、緑など様々な色のパッチ画像を表示し、測色器を用いて輝度や色味を測色するという一連の動作をたくさん繰り返すため、非常に長い時間を要する。そこで、キャリブレーションを中断した後再開する時は、中断前に実行済みの処理は省略し、中断した時点以降の処理から再開することで、キャリブレーションを最初からやり直す場合に比べて処理時間を短縮できる（例えば、特許文献１参照）。
【先行技術文献】
【特許文献】
【０００６】
【特許文献１】特開２００７―３１６１９５号公報
【発明の概要】
【発明が解決しようとする課題】
【０００７】
しかしながら、キャリブレーション中断時と再開時の環境変化（パネル温度や外気温の変化、外光の変化、長時間使用による経年劣化）があると、パネルの温度特性やバックライト発光輝度の変化により、表示映像の色味や輝度が変わる。そのため、中断時の処理からキャリブレーションを再開しても正確な補正ができない可能性があった。再開時の環境を確認して、中断前のキャリブレーション結果のうち今回のキャリブレーションに流用できる箇所を判断し、流用できない場合は再度キャリブレーションを実施した方が、正確なキャリブレーション補正を行うことができる。
【０００８】
そこで、本発明は、キャリブレーション中断時と再開時の環境変化があった場合でも、高精度なキャリブレーション及び処理時間の短縮を実現することが可能なキャリブレーション装置、キャリブレーション方法、及びプログラムを提供することを目的とする。
【課題を解決するための手段】
【０００９】
上述した課題を解決するために、本発明の一実施形態に係るキャリブレーション装置は、設定された目標値を用いて、表示装置の複数の画像処理のキャリブレーションを行うキャリブレーション手段と、キャリブレーションが中断された後のキャリブレーションの再開ポイントを決定する決定手段と、表示装置の周囲の外光を検出する検出手段と、を備える。決定手段は、基準外光値と、検出手段により検出された外光値とに基づき、キャリブレーションの再開ポイントを決定する。
【００１０】
本発明の他の一実施形態に係るキャリブレーション装置は、設定された目標値を用いて、表示装置の複数の画像処理のキャリブレーションを行うキャリブレーション手段と、キャリブレーションが中断された後のキャリブレーションの再開ポイントを決定する決定手段と、表示装置の劣化度合いを検出する検出手段と、を備える。決定手段は、検出手段により検出された劣化度合い値に基づき、キャリブレーションの再開ポイントを決定する。
【００１１】
本発明の一実施形態に係るキャリブレーション方法は、設定された目標値を用いて、表示装置の複数の画像処理のキャリブレーションを行うキャリブレーションステップと、キャリブレーションが中断された後のキャリブレーションの再開ポイントを決定する決定ステップと、表示装置の周囲の外光を検出する検出ステップと、を備える。決定ステップは、基準外光値と、検出ステップにより検出された外光値とに基づき、キャリブレーションの再開ポイントを決定する。
【００１２】
本発明の他の一実施形態に係るキャリブレーション方法は、設定された目標値を用いて、表示装置の複数の画像処理のキャリブレーションを行うキャリブレーションステップと、キャリブレーションが中断された後のキャリブレーションの再開ポイントを決定する決定ステップと、表示装置の劣化度合いを検出する検出ステップと、を備える。決定ステップは、検出ステップにより検出された劣化度合い値に基づき、キャリブレーションの再開ポイントを決定する。
【発明の効果】
【００１３】
本発明によれば、キャリブレーション中断時と再開時の環境変化を考慮してキャリブレーション再開ポイントを決めることにより、高精度なキャリブレーション及び処理時間の短縮を実現できる。
【図面の簡単な説明】
【００１４】
【図１】実施例１に係るシステムの構成図である。
【図２】図１に示したディスプレイの機能ブロックについて説明するための図である。
【図３】キャリブレーションの順序を概念的に示す図である。
【図４】図２に示したＣＡＬ再開ポイント決定部の動作フローを示す図である。
【図５】ユーザ目標値の例を示す図である。
【図６】ユーザ目標値を変換したＣＡＬ目標値の例を示す図である。
【図７】測色再開パッチ画像決定処理の動作フローを示す図である。
【図８】実施例３に係るディスプレイの機能ブロックについて説明するための図である。
【図９】劣化度合い値を補正係数Ｒへ変換するテーブルの一例である。
【発明を実施するための形態】
【００１５】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１６】
（実施例１）
本実施例１では、キャリブレーション再開時に、ユーザが設定したユーザ目標値とディスプレイの周囲の外光値（外光検出値）から算出されたキャリブレーション目標値（以降ＣＡＬ目標値）と、中断時のＣＡＬ目標値を比較する。そして、キャリブレーションを再開する画像処理ブロックを決定する。
【００１７】
図１は、実施例１に係るシステムの構成図である。本発明のシステムは、ディスプレイ１０１、測色器１０２、プローブ１０３で構成される。
【００１８】
まず、以下に、キャリブレーション処理について説明する。ディスプレイ１０１は、測色器１０２と通信ケーブルで接続される。通信ケーブルは、ＵＳＢ（Ｕｎｉｖｅｒｓａｌ  Ｓｅｒｉａｌ  Ｂｕｓ）ケーブルでもＬＡＮ（Ｌｏｃａｌ  Ａｒｅａ  Ｎｅｔｗｏｒｋ）ケーブルでも良く、特に限定されない。ディスプレイ１０１は、表示画面上にパッチ画像を表示し、測色器１０２から測色結果を表す測色値を取得する。ディスプレイ１０１は、パッチ画像表示と測色値の取得を多数繰り返し行い、目標の画質となるための調整データを算出し、画像処理に反映する。
【００１９】
測色器１０２は、ディスプレイ１０１から測色処理の要求を受けると、プローブ１０３から測色値を取得し、ディスプレイ１０１へ測色値を送信する。プローブ１０３は、ディスプレイ１０１の表示面において、パッチ画像が表示される位置に接するように設置する。尚、プローブ１０３はディスプレイ１０１から離して測定するタイプの測色器でもよく、特に限定されない。プローブ１０３は、測色器１０２の測色要求を受けると測色処理を行い、取得した測色値を測色器１０２へ送信する。
【００２０】
図２は、図１に示したディスプレイ１０１の機能ブロックについて説明するための図である。ディスプレイ１０１は、キャリブレーション装置として機能する。ディスプレイ１０１は、ＵＩ制御部２０１、外光センサ制御部２０２、ＣＡＬ再開ポイント決定部２０３、ＣＡＬ部２０４、映像入出力制御部２０５、映像表示部２０６、記憶部２０７、通信部２０８、外光センサ２０９を備える。
【００２１】
ＵＩ制御部２０１は、ユーザ入力により設定されたユーザ目標値をＣＡＬ再開ポイント決定部２０３へ送信する。ユーザ目標値とは、キャリブレーションで調整する目標の画質を設定する値である。ユーザ目標値の一例は後述する。
【００２２】
図３は、キャリブレーションの順序を概念的に示す図である。キャリブレーションでは、上述したように３つの画像処理ブロックを順に調整される。一つの画像処理ブロックの調整が完了した後、その調整を画像に反映させて次の画像処理ブロックの調整を行う。キャリブレーションは、複数の画像処理ブロックのうち後段（出力信号に近い方）から順に実施する。よって、キャリブレーションは、「色域」→「色温度」→「輝度・γ」の順序で行う。
【００２３】
外光センサ制御部２０２は、ディスプレイ１０１に搭載されている外光センサ２０９を制御する。外光センサ（外光検出部）２０９は、ディスプレイ１０１の周囲の外光を検出し、外光値（外光検出値）を外光センサ制御部２０２へ送信する。外光センサ制御部２０２は、取得した外光値をＣＡＬ再開ポイント決定部２０３へ送信する。
【００２４】
ＣＡＬ再開ポイント決定部２０３は、基準外光値（基準外光輝度値、基準外光色度値）と、外光センサ制御部２０２から取得した外光値とに基づき、ＣＡＬ再開ポイントを決定する。具体的には、ＣＡＬ再開ポイント決定部２０３は、まずＵＩ制御部２０１から取得したユーザ目標値と、外光センサ制御部２０２から取得した外光値を用いて、ユーザ目標値をＣＡＬ目標値へ変換する。ＣＡＬ目標値の内容、及び変換処理の詳細は後述する。ＣＡＬ再開ポイント決定部２０３は、前回中断した時のＣＡＬ目標値と前回キャリブレーション実施済みの画像処理ブロックを記憶部２０７から取得する。中断時の動作の詳細は後述する。そして、取得した中断時（中断前）のＣＡＬ目標値（前回のＣＡＬ目標値）と、今回のＣＡＬ目標値とを比較し、ＣＡＬ再開ポイントを決定する。ＣＡＬ再開ポイントの導出処理の詳細は後述する。その後、ＣＡＬ再開ポイント決定部２０３は、ＣＡＬ再開ポイントと今回のＣＡＬ目標値をＣＡＬ部２０４へ送信する。
【００２５】
ＣＡＬ部２０４は、ＣＡＬ再開ポイント決定部２０３からＣＡＬ再開ポイントを取得すると、記憶部２０７から前回のキャリブレーションの調整データを取得する。そして、再開ポイントに応じて今回のキャリブレーションで流用できる調整データを確認し、ディスプレイ１０１の画像処理機能に反映する。その後、ＣＡＬ部２０４は、再開ポイントに応じて画面上に表示するパッチ画像を決定し、映像入出力制御部２０５へパッチ画像情報を送信する。また、ＣＡＬ部２０４は、表示したパッチ画像の測色結果を取得するために、通信部２０８に測色値取得要求を送信する。ＣＡＬ部２０４は、パッチ画像情報の送信と測色値取得を多数繰り返し行い、取得した測色値と今回のＣＡＬ目標値を元に調整データを算出し、画像処理機能に反映する。
【００２６】
映像入出力制御部２０５は、ＣＡＬ部２０４から取得したパッチ画像情報からパッチ画像の表示位置やパッチ画像色を確認し、映像出力信号に重畳して映像表示部２０６へ出力する。
【００２７】
映像表示部２０６は、映像入出力制御部２０５から取得した映像出力信号をディスプレイ１０１画面上に表示する。  通信部２０８は、ＣＡＬ部２０４から測色値取得要求を取得すると、ディスプレイ１０１に接続された測色器１０２に対して測色処理を要求する。測色器１０２は、通信部２０８から測色処理を取得すると、ディスプレイ画面上に表示されたパッチ画像に接しているプローブ１０３を用いて測色結果を表す測色値を取得する。測色器１０２は、取得した測色値を通信部２０８へ送信する。通信部２０８は、測色器１０２から取得した測色値をＣＡＬ部２０４へ送信する。
【００２８】
ここまで、キャリブレーション処理について説明した。次にキャリブレーションの中断処理について説明する。
【００２９】
ＵＩ制御部２０１は、ユーザ入力により中断操作を取得した場合、中断要求をＣＡＬ部２０４へ送信する。ＣＡＬ部２０４は、ＵＩ制御部２０１から中断要求を取得すると、ＣＡＬ再開ポイント決定部２０３から取得した今回のＣＡＬ目標値と今回キャリブレーション調整済みの画像処理ブロックと調整データを記憶部２０７へ送信する。
【００３０】
これらを受けて、記憶部２０７は、ＣＡＬ部２０４からＣＡＬ目標値、調整済み画像処理ブロック、調整データを中断時のデータとして不揮発のメモリに保存する。また記憶部２０７は、ＣＡＬ再開ポイント決定部２０３からＣＡＬ目標値取得要求を受けると、中断時のＣＡＬ目標値とキャリブレーション調整実施済み画像処理ブロックを送信する。
【００３１】
次に、ＣＡＬ再開ポイント決定部２０３の処理の詳細について説明する。
【００３２】
図４は、ＣＡＬ再開ポイント決定部２０３の動作フローを示す図である。本動作は、今回のＣＡＬ目標値と前回のＣＡＬ目標値とを比較して、今回のキャリブレーションの再開ポイントを決定する処理である。ＣＡＬ再開ポイント決定部２０３は、ＵＩ制御部２０１からＣＡＬ開始要求を取得すると処理を開始し、ＵＩ制御部２０１からユーザ目標値を取得する（Ｓ４０１）。次に、ディスプレイ１０１の周囲の環境を確認するために外光センサ制御部２０２から外光値を取得し（Ｓ４０２）、ユーザ目標値と外光値を用いてＣＡＬ目標値を算出する（Ｓ４０３）。
【００３３】
＜ユーザ目標値からＣＡＬ目標値への変換について＞
ＣＡＬ目標値とは、ディスプレイ１０１の周囲の環境を加味した上で、ユーザが目標として設定した画質となるように、ディスプレイ内で新たに設ける目標値である。例えば、周囲が暗い環境では、ＣＡＬ目標値の輝度はユーザ目標値に比べて低い値となるように調整する。ここで、ＣＡＬ目標値変換の詳細について説明する。
【００３４】
まず、下記式により、外光センサ制御部２０２から取得した外光値Ｘ，Ｙ，Ｚを用いて、外光輝度値Ｌａと外光色度値ｘａ，ｙａを算出する。
Ｌａ＝Ｙ      ・・・（１）
【００３５】
【数１】
2015115668.tif 000003
【００３６】
【数２】
2015115668.tif 000004
【００３７】
ＣＡＬ目標輝度値Ｌｃａｌは、ユーザが設定したユーザ目標輝度値Ｌｕｓｅｒと外光輝度値Ｌａ、基準外光輝度値Ｌａｂａｓｅ、輝度変換補正係数Ｒｌｕｍを用いて下記式により算出する。基準外光輝度値Ｌａｂａｓｅ、輝度変換補正係数Ｒｌｕｍは、予めディスプレイ内で保持している値である。
Ｌｃａｌ＝Ｌｕｓｅｒ＋（Ｌａｂａｓｅ−Ｌａ）×Ｒｌｕｍ      ・・・（４）
【００３８】
ＣＡＬ目標色温度値ｘｃａｌ，ｙｃａｌは、ユーザが設定したユーザ目標色温度値ｘｕｓｅｒ，ｙｕｓｅｒと外光色度値ｘａ，ｙａ、基準外光色度値ｘａｂａｓｅ，ｙａｂａｓｅ、色温度変換補正係数Ｒｃｔｅｍｐ用いて下記式により算出する。基準外光色度値ｘａｂａｓｅ，ｙａｂａｓｅ、色温度変換補正係数Ｒｃｔｅｍｐは、予めディスプレイ内で持っている値である。
ｘｃａｌ＝ｘｕｓｅｒ＋（ｘａｂａｓｅ−ｘａ）×Ｒｃｔｅｍｐ      ・・・（５）
ｙｃａｌ＝ｙｕｓｅｒ＋（ｙａｂａｓｅ−ｙａ）×Ｒｃｔｅｍｐ      ・・・（６）
【００３９】
ＣＡＬ目標色域値Ｒｘｃａｌ，Ｒｙｃａｌ，Ｇｘｃａｌ，Ｇｙｃａｌ，Ｂｘｃａｌ，Ｂｙｃａｌは、ユーザが設定したユーザ目標色色域値Ｒｘｕｓｅｒ，Ｒｙｕｓｅｒ，Ｇｘｕｓｅｒ，Ｇｙｕｓｅｒ，Ｂｘｕｓｅｒ，Ｂｙｕｓｅｒと外光色度値ｘａ，ｙａ、基準外光色度値ｘａｂａｓｅ，ｙａｂａｓｅ、色域変換補正係数用Ｒｇａｍｕｔを用いて下記式により算出する。基準外光色度値ｘａｂａｓｅ，ｙａｂａｓｅ、色域変換補正係数用Ｒｇａｍｕｔは、予めディスプレイ内で持っている値である。
Ｒｘｃａｌ＝Ｒｘｕｓｅｒ＋（ｘａｂａｓｅ−ｘａ）×Ｒｇａｍｕｔ  ・・・（７）
Ｒｙｃａｌ＝Ｒｙｕｓｅｒ＋（ｙａｂａｓｅ−ｙａ）×Ｒｇａｍｕｔ  ・・・（８）
Ｇｘｃａｌ＝Ｇｘｕｓｅｒ＋（ｘａｂａｓｅ−ｘａ）×Ｒｇａｍｕｔ  ・・・（９）
Ｇｙｃａｌ＝Ｇｙｕｓｅｒ＋（ｙａｂａｓｅ−ｙａ）×Ｒｇａｍｕｔ  ・・・（１０）
Ｂｘｃａｌ＝Ｂｘｕｓｅｒ＋（ｘａｂａｓｅ−ｘａ）×Ｒｇａｍｕｔ  ・・・（１１）
Ｂｙｃａｌ＝Ｂｙｕｓｅｒ＋（ｙａｂａｓｅ−ｙａ）×Ｒｇａｍｕｔ  ・・・（１２）
【００４０】
図５は、ユーザ目標値の例を示す図である。ユーザ目標値は、キャリブレーションで目標とする画質としてユーザが設定した値を表し、映像表示部２０６に表示されたメニューをユーザが操作することで設定する。設定項目は、輝度（明るさ）・色温度（色味）・ガンマ（階調）・色域（色再現性）がある。ＣＡＬ再開ポイント決定部２０３は、ユーザ目標値を取得した後、取得した外光値を用いて、ユーザ目標値をＣＡＬ目標値へ変換する。
【００４１】
図６は、ユーザ目標値から変換されたＣＡＬ目標値の例を示す図である。ディスプレイの周囲の環境が暗くてかつ寒色系（青みの強い）の照明であった場合の例であり、ディスプレイの画質目標値も周囲の環境に合わせて輝度は低く、また色温度や色域は青みを強くした目標値へ変換する。
【００４２】
＜キャリブレーションの再開ポイントの決定について＞
図４の制御フロー図の説明に戻る。ＣＡＬ再開ポイント決定部２０３は、ＣＡＬ目標値を算出した後、記憶部２０７から前回中断した時のＣＡＬ目標値と、前回中断した時点のキャリブレーション調整実施済み画像処理ブロック情報とを取得する（Ｓ４０４）。そして、前回のＣＡＬ目標値と今回のＣＡＬ目標値を比較し、キャリブレーション再開ポイントの決定処理を行う。
【００４３】
まず、今回のキャリブレーションで色域調整が必要かを確認する。前回のキャリブレーションにおいて色域調整が未実施であった場合（Ｓ４０５、Ｙｅｓ）、再開ポイントを色域調整の画像処理ブロックに決定する（Ｓ４１１）。前回のキャリブレーションにおいて色域調整が実施済みであった場合（Ｓ４０５、Ｎｏ）、色域目標値の差を確認し、予め設定された値よりも大きい場合（Ｓ４０６、Ｙｅｓ）、再開ポイントを色域調整の画像処理ブロックに設定する（Ｓ４１１）。色域調整から開始した場合、キャリブレーション調整が必要な画像処理ブロックは色域・色温度・輝度，ガンマとなる。
【００４４】
色域目標値の差が予め設定された値よりも小さい場合（Ｓ４０６、Ｎｏ）、次に、今回のキャリブレーションで色温度調整が必要かを確認する。前回のキャリブレーションにおいて色温度調整が未実施であった場合（Ｓ４０７、Ｙｅｓ）、再開ポイントを色温度調整の画像処理ブロックに決定する（Ｓ４１２）。前回のキャリブレーションにおいて色温度調整が実施済みであった場合（Ｓ４０７、Ｎｏ）、色温度目標値の差を確認し、予め設定された値よりも大きい場合（Ｓ４０８、Ｙｅｓ）、再開ポイントを色温度調整の画像処理ブロックに決定する（Ｓ４１２）。色温度調整から開始した場合、キャリブレーション調整が必要な画像処理ブロックは色温度・輝度，ガンマとなる。つまり、色域調整はスキップする。
【００４５】
色温度目標値の差が予め設定された値よりも小さい場合（Ｓ４０８、Ｎｏ）、次に、今回のキャリブレーションで輝度，γの調整が必要かを確認する。前回のキャリブレーションにおいて輝度，γの調整が未実施であった場合（Ｓ４０９、Ｙｅｓ）、再開ポイントを輝度，γ調整の画像処理ブロックに決定する（Ｓ４１３）。前回のキャリブレーションにおいて輝度，γの調整が実施済みであった場合（Ｓ４０９、Ｎｏ）、輝度，ガンマの目標値の差を確認する。そして、予め設定された値よりも大きい場合（Ｓ４１０、Ｙｅｓ）、再開ポイントを輝度，γ調整の画像処理ブロックに決定する（Ｓ４１３）。輝度，γ調整から開始した場合、キャリブレーションが必要な画像処理ブロックは輝度，γ調整となる。つまり、色域調整・色温度調整はスキップする。
【００４６】
輝度，γ目標値の差が予め設定された値よりも小さい場合（Ｓ４１０、Ｎｏ）、前回の中断時点でキャリブレーション調整は完了しており、前回の調整データは今回のキャリブレーションで流用できると判断する。よって、再開ポイントを精度確認の処理ブロックに決定する（Ｓ４１４）。
【００４７】
最後に、ＣＡＬ再開ポイント決定部２０３は、決定した再開ポイントをＣＡＬ部２０４へ送信する。
【００４８】
ここで、前回のキャリブレーションにおける色温度調整が今回のキャリブレーションで流用できるとしても、色域調整が無効となった場合は、今回のキャリブレーションで色温度調整も実施しなければならない。理由は、前述のとおり、キャリブレーションは後段の画像処理ブロックから順に調整するものであり、後段の画像処理ブロックの処理が異常の場合は、その画像処理ブロックより前段にある画像処理ブロックは調整が必要となるためである。
【００４９】
ＣＡＬ部２０４は、記憶部２０７から中断時の調整データを取得し、ＣＡＬ再開ポイント決定部２０３から取得した再開ポイントに応じて、調整データのうち今回のキャリブレーションで流用できるデータを選択し、画像処理に反映する。
【００５０】
一例として、前回色温度調整まで調整済みで、今回のキャリブレーションの再開ポイントが色温度調整と決定した時において説明する。中断時のキャリブレーションで色域・色温度が調整済みの場合、記憶部２０７から取得した調整データは色域と色温度である。本例では、再開ポイントが色温度調整の画像処理ブロックであるため、中断時の色温度の調整データは無効となる。よってＣＡＬ部２０４は、中断時の色温度の調整データは使用せず、色域の調整データを色域ブロックに反映した状態でキャリブレーションを開始する。
【００５１】
以上により、実施例１の方法を使うことで、キャリブレーション中断時と再開時の環境の変化を考慮して、キャリブレーション再開ポイントを決めることで、高い補正精度を保ちつつ、キャリブレーション時間を短縮できる。
【００５２】
（実施例２）
本発明の実施例２について、図を用いて以下に説明する。本実施例２では、キャリブレーション再開時に、中断時と再開時のＣＡＬ目標値を比較し、更に中断時と再開時のディスプレイの周囲の外光値（外光検出値）を比較する。そして、キャリブレーションを再開する画像処理ブロックと共に再開する測色のパッチ画像を決定する。なお、実施例１と同様の内容については、その詳細な説明は繰り返さない。
【００５３】
＜キャリブレーション中断に関する処理について＞
ＣＡＬ部２０４は、ＵＩ制御部２０１から中断要求を取得すると、今回のＣＡＬ目標値とキャリブレーション調整実施済みの画像処理ブロック、調整データに加えて、外光センサ制御部２０２から取得した外光値を記憶部２０７へ送信する。
【００５４】
これらを受けて、記憶部２０７は、ＣＡＬ部２０４からＣＡＬ目標値、調整済み画像処理ブロック、調整データ、外光値を中断時のデータとして不揮発のメモリに保存する。また記憶部２０７は、ＣＡＬ再開ポイント決定部２０３からＣＡＬ目標値取得要求を受けると、中断時のＣＡＬ目標値とキャリブレーション調整実施済み画像処理ブロックに加えて、外光値を送信する。
【００５５】
＜キャリブレーションのパッチ画像の測色再開パッチ画像の決定について＞
測色再開パッチ画像決定処理は、図４のＣＡＬ再開ポイント決定部２０３の動作フロー図において、再開ポイントが決定した後に開始する。図７は、測色再開パッチ画像決定処理の動作フローを示す図である。
【００５６】
ＣＡＬ再開ポイント決定部２０３は、中断時の外光値と、新たに検出された今回の外光値とを比較する。中断時の外光値より今回の外光値の方が所定値より大きかった場合（所定値より明るかった場合）（Ｓ７０１、Ｙｅｓ）、低諧調部のパッチ画像を測色するようにＣＡＬ部２０４へ送信する（Ｓ７０２）。中断時の外光値より今回の外光値の方が所定値より小さかった場合（所定値より明るくなかった場合）（Ｓ７０１、Ｎｏ）、低諧調部のパッチ画像は測色不要である旨をＣＡＬ部２０４へ送信する（Ｓ７０３）。
【００５７】
周囲環境が明るくなった場合に低諧調部の測定を行う理由は、外光が明るい場合、低諧調部のパッチ画像は輝度が低いため外光によってパッチ画像が消えてしまうことで、測色できず、正確な調整データが算出できないためである。
【００５８】
ＣＡＬ部２０４は、ＣＡＬ再開ポイント決定部２０３から低諧調パッチ画像測色指示を受けると、既に調整済みと判断された画像処理ブロックの低諧調パッチ画像の測色を実行する。その後、記憶部２０７から取得した調整データと低諧調パッチ画像測色結果を元に、新たな調整データを算出し、画像処理ブロックへ反映する。
【００５９】
以上により、実施例２の方法を使って、キャリブレーション中断時と再開時の環境の変化を考慮して、キャリブレーション再開ポイントおよび測色再開パッチ画像を決めることで、高い補正精度を保ちつつ、キャリブレーション時間を短縮できる。
【００６０】
（実施例３）
本発明の実施例３について、図を用いて以下に説明する。本実施例３は、キャリブレーション再開時に、ユーザが設定したユーザ目標値とディスプレイ８０１の劣化度合いから算出されたＣＡＬ目標値と、中断時のＣＡＬ目標値を比較し、キャリブレーションを再開する画像処理ブロックを決定する例である。実施例１と同様の構成要素については、同一の符号を付し、その詳細な説明は繰り返さない。なお、ディスプレイの劣化とは、ディスプレイの累積表示時間が長くなるにつれて、バックライトの発光輝度が落ちる現象を示す。
【００６１】
図８は、実施例３に係るディスプレイ８０１の機能ブロックについて説明するための図である。ディスプレイ８０１は、キャリブレーション装置として機能する。実施例３では、実施例１の外光センサ制御部２０２がなく、劣化度合い検出部８０２を備える。劣化度合い検出部８０２は、ディスプレイがどれほど劣化しているかを示す劣化度合い値を算出する。劣化度合い値は、ディスプレイの累積使用時間である。ＣＡＬ再開ポイント決定部２０３は、ＵＩ制御部２０１から取得したユーザ目標値と劣化度合い検出部８０２から取得した劣化度合い値を用いてＣＡＬ目標値へ変換する。
【００６２】
実施例３のＣＡＬ再開ポイント決定部２０３の動作フローについて、図４を用いて説明する。実施例３では、ディスプレイ１０１の周囲の環境を確認するために外光センサ制御部２０２から外光値を取得する（Ｓ４０２）ステップが無く、その代わりにディスプレイ１０１の劣化度合いを確認するために劣化度合い検出部８０２から劣化度合い値を取得する。その後、ユーザ目標値と劣化度合い値を用いてＣＡＬ目標値を算出する（Ｓ４０３）。
【００６３】
＜ユーザ目標値からＣＡＬ目標値への変換について＞
実施例３のＣＡＬ目標値は、ディスプレイ１０１の劣化度合いを加味した上で、ユーザが目標として設定した画質となるように、ディスプレイ内で新たに設ける目標値である。劣化度合いが大きいほど輝度が出ないため、ＣＡＬ目標値の輝度はユーザ目標値に比べて高い値となるように調整する。予めＣＡＬ目標値の輝度を補正する補正係数と劣化度合い値を関連づけるテーブルを持ち、そのテーブルを参照して補正係数を決定する。その後、ユーザ目標値の輝度と演算することでＣＡＬ目標値の輝度として設定する。次に、ＣＡＬ目標値変換の詳細について説明する。
【００６４】
図９は、劣化度合い値を補正係数Ｒへ変換するテーブルの一例である。ＣＡＬ目標輝度値Ｌｃａｌは、ユーザが設定したユーザ目標輝度値Ｌｕｓｅｒと補正係数Ｒを用いて下記式により算出する。
Ｌｃａｌ＝Ｌｕｓｅｒ×Ｒ      ・・・（１３）
なお、ＣＡＬ目標値へ変換した後の処理は、実施例１と同様であるため、ここでは省略する。
【００６５】
以上により、実施例３の方法を使って、キャリブレーション中断時と再開時のパネルの劣化を考慮して、キャリブレーション再開ポイントを決めることで、高い補正精度を保ちつつ、キャリブレーション時間を短縮できる。
【００６６】
（その他の実施例）
また、本発明は、以下の処理を実行することによっても実現される。即ち、上述した実施形態の機能を実現するソフトウェア（プログラム）を、ネットワーク又は各種記憶媒体（ＲＯＭやＲＡＭ等の不揮発性メモリ）を介してシステム或いは装置に供給し、そのシステム或いは装置のコンピュータ（またはＣＰＵやＭＰＵ等）がプログラムを読み出して実行する処理である。したがって、上述した実施形態の機能を実現するためのコンピュータプログラム自体も本発明の一つである。
【符号の説明】
【００６７】
１０１，８０１  ディスプレイ
１０２  測色器
１０３  プローブ
２０１  ＵＩ制御部
２０２  外光センサ制御部
２０３  ＣＡＬ再開ポイント部
２０４  ＣＡＬ部
２０５  映像入出力制御部
２０６  映像表示部
２０７  記憶部
２０８  通信部
２０９  外光センサ
８０２  劣化度合い検出部
【図１】
2015115668.tif 000005
【図２】
2015115668.tif 000006
【図３】
2015115668.tif 000007
【図４】
2015115668.tif 000008
【図５】
2015115668.tif 000009
【図６】
2015115668.tif 000010
【図７】
2015115668.tif 000011
【図８】
2015115668.tif 000012
【図９】
2015115668.tif 000013